(57)【要約】【課題】圧縮コイルバネを適切に圧縮状態に保つことができる緩衝装置及びこれを用いた椅子を提供する。【解決手段】椅子の背もたれ部の傾動を緩衝する緩衝装置１０は、座部に取り付けられた容器本体部２０と、背もたれ部の傾動に伴って揺動する連動部材３０と、容器本体部２０の前方壁部２４と連動部材３０の後方壁部３４との間に圧縮された状態で配置された圧縮コイルバネ４０と、容器本体部２０の前方壁部２４に設けられ、圧縮コイルバネ４０の圧縮量を調整する圧縮量調整機構５０と、を備える。圧縮量調整機構５０は、容器本体部２０の前方壁部２４に螺合する雄ネジ５２と、雄ネジ５２の先端と圧縮コイルバネ４０の雄ネジ５２側の端部との間に配置されたコイルバネ受け部５４とを有する。コイルバネ受け部５４は、両端に、それぞれ、凸面部５４ａ及び凹面部５４ｂを有する。【選択図】図２
2018114148.tif 000002
【特許請求の範囲】
【請求項１】
椅子の座部に対して傾動可能な背もたれ部の傾動を緩衝する緩衝装置であって、
前記座部に取り付けられ、後方が開放するように一対の側壁部と前方壁部とを有する容器本体部と、
前記容器本体部の一対の側壁部に揺動可能に取り付けられ、前方が開放するように後方壁部を有する連動部材であって前記背もたれ部の傾動に伴って前記連動部材の前記後方壁部が前記容器本体部の前記前方壁部に近づくように揺動する連動部材と、
前記容器本体部の前記前方壁部と前記連動部材の前記後方壁部との間に圧縮された状態で配置され、前記連動部材の前記後方壁部が前記容器本体部の前記前方壁部から離れるような圧縮復元力を前記連動部材の前記後方壁部に付与する圧縮コイルバネと、
前記容器本体部の前記前方壁部に設けられ、前記圧縮コイルバネの圧縮量を調整する圧縮量調整機構と、を備え、
前記圧縮量調整機構は、前記容器本体部の前記前方壁部に螺合する雄ネジと、前記雄ネジの先端と前記圧縮コイルバネの前記雄ネジ側の端部との間に配置されたコイルバネ受け部とを有する、緩衝装置。
【請求項２】
前記圧縮量調整機構は、前記圧縮コイルバネの端部にコイルバネ受け部を有する、請求項１に記載の緩衝装置。
【請求項３】
前記コイルバネ受け部は、両端に、それぞれ、凸面部及び凹面部を有し、
前記圧縮コイルバネの前記圧縮復元力の付与方向から見た場合において、
前記凸面部の凸部が前記圧縮コイルバネの前記雄ネジ側のリング状の中央に位置し、
前記圧縮コイルバネの前記雄ネジ側の端部が前記凸部の周囲に位置し、
前記雄ネジ側のリング状の中央前記凹面部の凹部が、前記圧縮コイルバネの前記雄ネジ側のリング状の中央に位置し、
前記雄ネジの先端が前記凹面部の前記凹部に位置している、請求項１又は２に記載の緩衝装置。
【請求項４】
さらに、前記連動部材の揺動可能な範囲を規制する揺動規制部を備える、請求項１から３のいずれかに記載の緩衝装置。
【請求項５】
請求項１から４のいずれかに記載の緩衝装置と、
前記緩衝装置が設けられた座部と、
前記座部に対して傾動可能な背もたれ部とを備える、椅子。
【発明の詳細な説明】
【技術分野】
【０００１】
本発明は、緩衝装置及びそれを備えた椅子に関する。
【背景技術】
【０００２】
座部に対して傾動可能な背もたれ部を有する椅子が知られている。そのような椅子は、背もたれ部の傾動を元の位置に戻るよう、引張りバネ、圧縮コイルバネ等を有する緩衝装置が用いられている（例えば、特許文献１、２、３参照）。
【０００３】
他方、パチンコ、パチスロ、ゲームなどの遊技場に用いられる椅子は、多くの遊技台等を設置できるように、遊技台等に対応して設けられる椅子、ひいては、緩衝装置のコンパクト性が求められている。
【０００４】
圧縮コイルバネを用いた緩衝装置をコンパクトにするためには、圧縮コイルバネを適切に圧縮状態に保つ必要がある。
【先行技術文献】
【特許文献】
【０００５】
【特許文献１】登録実用新案公報３１２８２７６号公報
【特許文献２】特開平６−２６１８１８号公報
【特許文献３】特開２０１６−１３１６１５号公報
【発明の概要】
【発明が解決しようとする課題】
【０００６】
本発明の課題は、圧縮コイルバネを適切に圧縮状態に保つことができる緩衝装置及びこれを用いた椅子を提供することにある。
【課題を解決するための手段】
【０００７】
上記課題を解決するため、本発明の緩衝装置は、椅子の座部に対して傾動可能な背もたれ部の傾動を緩衝する緩衝装置であって、前記座部に取り付けられ、後方が開放するように一対の側壁部と前方壁部とを有する容器本体部と、前記容器本体部の一対の側壁部に揺動可能に取り付けられ、前方が開放するように後方壁部を有する連動部材であって前記背もたれ部の傾動に伴って前記連動部材の前記後方壁部が前記容器本体部の前記前方壁部に近づくように揺動する連動部材と、前記容器本体部の前記前方壁部と前記連動部材の前記後方壁部との間に圧縮された状態で配置され、前記連動部材の前記後方壁部が前記容器本体部の前記前方壁部から離れるような圧縮復元力を前記連動部材の前記後方壁部に付与する圧縮コイルバネと、前記容器本体部の前記前方壁部に設けられ、前記圧縮コイルバネの圧縮量を調整する圧縮量調整機構と、を備え、前記圧縮量調整機構は、前記容器本体部の前記前方壁部に螺合する雄ネジと、前記雄ネジの先端と前記圧縮コイルバネの前記雄ネジ側の端部との間に配置されたコイルバネ受け部とを有することを特徴とする。
【０００８】
本発明の緩衝装置において、前記圧縮量調整機構は、前記圧縮コイルバネの端部にコイルバネ受け部を有することが好ましい。
【０００９】
本発明の緩衝装置において、前記コイルバネ受け部は、両端に、それぞれ、凸面部及び凹面部を有し、前記圧縮コイルバネの前記圧縮復元力の付与方向から見た場合において、前記凸面部の凸部が前記圧縮コイルバネの前記雄ネジ側のリング状の中央に位置し、前記圧縮コイルバネの前記雄ネジ側の端部が前記凸部の周囲に位置し、前記雄ネジ側のリング状の中央前記凹面部の凹部が、前記圧縮コイルバネの前記雄ネジ側のリング状の中央に位置し、前記雄ネジの先端が前記凹面部の前記凹部に位置していることを特徴とする。
【００１０】
本発明の緩衝装置において、さらに、前記連動部材の揺動可能な範囲を規制する揺動規制部を備えることを特徴とする。
【００１１】
本発明の椅子は、上述のいずれかに記載の緩衝装置と、前記緩衝装置が設けられた座部と、前記座部に対して傾動可能な背もたれ部とを備えることを特徴とする。
【発明の効果】
【００１２】
本発明によれば、圧縮量調整機構は、雄ネジの先端と圧縮コイルバネの雄ネジ側の端部との間に配置されたコイルバネ受け部を有するので、圧縮コイルバネを適切に圧縮状態に保つことができる緩衝装置及びこれを用いた椅子を提供することができる。
【図面の簡単な説明】
【００１３】
【図１】本発明に係る緩衝装置及びこれを用いた椅子の側面図である。
【図２】図１に示した緩衝装置の分解斜視図である。
【図３】図１に示した緩衝装置の斜視図である。
【図４】図３に示した緩衝装置のＩＶ−ＩＶ断面図である。
【発明を実施するための形態】
【００１４】
以下、図面を参照して本発明を実施するための形態について詳細に説明する。
【００１５】
（椅子）
図１に示すように、椅子１００は、緩衝装置１０と、緩衝装置１０が設けられた座部１１０と、座部１１０に対して傾動可能な背もたれ部１２０とを備える。椅子１００に腰掛けた人が向いている方向を前方向、その反対方向を後方向とする。
【００１６】
（座部）
座部１１０は、パチンコ、パチスロ、ゲームなどの遊技場の床Ｆに、ボルトのような部材で組み付けられ、垂直に伸びる脚部１３０の上端部に回転可能に取り付けられている。
【００１７】
（背もたれ部）
背もたれ部１２０は、座部１１０に設けられた背もたれ用回転軸１１４を中心に揺動可能に取り付けられており、背もたれ用回転軸１１４より下部に延在した棒状の反力受け部１１２を有する。
【００１８】
背もたれ部１２０は、背もたれ部１２０が倒される方向（図１の紙面において時計方向）に揺動すると、反力受け部１１２は、緩衝装置１０の前方向（図１の紙面において左側）に動くように、座部１１０に取り付けられている。
【００１９】
（緩衝装置）
緩衝装置１０は、座部１１０の裏側に取り付けられており、後述するように、圧縮コイルバネ４０（図２参照）が内蔵され、背もたれ部１２０が背もたれ用回転軸１１４を中心に傾動する際に反力受け部１１２が圧縮コイルバネ４０を圧縮する。これにより、緩衝装置１０は、椅子１００の座部１１０に対して傾動可能な背もたれ部１２０の傾動を緩衝する。
【００２０】
図２から図４に示すように、緩衝装置１０は、容器本体部２０と、連動部材３０と、圧縮コイルバネ４０と、圧縮量調整機構５０とを備える。緩衝装置１０は、さらに、揺動規制部７０と回転軸８０とを備える。
【００２１】
（容器本体部）
容器本体部２０は、座部１１０の裏側に取り付けられている。容器本体部２０は、後方が開放するように一対の側壁部２２と前方壁部２４と底方壁部２６とを有する。
【００２２】
一対の側壁部２２には、それぞれ、一対の貫通孔２２ａが形成され、回転軸８０を支持する支持部として機能する。
【００２３】
また、一対の側壁部２２のそれぞれの上部には、鍔部２４ｂが延在し、鍔部２４ｂに形成された貫通孔に雄ネジを通して、容器本体部２０が座部１１０の裏側に取り付けられる。
【００２４】
前方壁部２４には、後述する雄ネジ５２が螺合する雌ネジ２４ａが形成されている。上下方向において、雌ネジ２４ａは、一対の貫通孔２２ａの下側に形成されている。
【００２５】
容器本体部２０は、例えば、鉄、ステンレス等の金属板を、１回以上のプレス加工により、打ち抜き加工、曲げ加工が施されて、形成される。
【００２６】
（連動部材）
連動部材３０は、容器本体部２０の一対の側壁部２２に揺動可能に取り付けられ、前方が開放するように一対の側壁部３２と後方壁部３４と底方壁部３６と上方壁部３８とを有する。
【００２７】
一対の側壁部３２の上部側には、それぞれ、一対の貫通孔３２ａが形成されている。一対の貫通孔３２ａには、それぞれ、滑り軸受けとして作用する一対のブッシュ８２が挿入され、回転軸８０がブッシュ８２に摺動回転可能に挿入される。これにより、連動部材３０は、回転軸８０によって揺動可能に支持される。
【００２８】
連動部材３０が容器本体部２０の内側で揺動可能に位置するように、一対の側壁部３２の外側面の間の距離（いわゆる、外寸法）は、一対の側壁部２２の内側面の間の距離（いわゆる、内寸法）より、小さい。
【００２９】
後方壁部３４は、後方側に出っ張っている凸形状部を有する。
【００３０】
後方壁部３４の凸形状部には、貫通孔３４ａが形成され、また、後方壁部３４の後方側には、貫通孔３４ａをとおり左右方向（前後方向に直交する水平方向）に伸びる溝部３４ｂが形成されている。溝部３４ｂは、反力受け部１１２が貫通孔３４ａに位置するよう、案内機能を有する。上下方向において、貫通孔３４ａ及び溝部３４ｂは、一対の貫通孔３２ａの下側に形成されている。
【００３１】
爪部３６ａが回転軸８０を中心に揺動するよう、底方壁部３６の下部から下方に向けて爪部３６ａが延在している。
【００３２】
連動部材３０は、例えば、鉄、ステンレス等の金属板を、１回以上のプレス加工により、打ち抜き加工、曲げ加工が施されて、形成される。
【００３３】
（圧縮コイルバネ）
圧縮コイルバネ４０は、一端が前方壁部２４に向き、他端が後方壁部３４に向きくように圧縮された状態で、容器本体部２０と連動部材３０とで構成する収容部に配置される。圧縮コイルバネ４０の他端と後方壁部３４との間には、受け部材８６が配置される。
【００３４】
受け部材８６は、円盤部８６ａと、円盤部８６ａの前方側に形成された凸部８６ｂと、円盤部８６ａの後方側に形成された溝部８６ｃとを有する。
【００３５】
凸部８６ｂは、圧縮コイルバネ４０の連動部材３０側のリング状の端部の内側に挿入され、溝部８６ｃは、反力受け部１１２が圧縮コイルバネ４０の中心に位置するよう、案内機能を有する。
【００３６】
（圧縮量調整機構）
圧縮量調整機構５０は、容器本体部２０の前方壁部２４に設けられ、圧縮コイルバネ４０の圧縮量を調整する。
【００３７】
圧縮量調整機構５０は、先端が圧縮コイルバネ４０側に向くように、容器本体部２０の前方壁部２４に螺合する雄ネジ５２と、雄ネジ５２の先端と圧縮コイルバネ４０の雄ネジ５２側の端部との間に配置されたコイルバネ受け部５４及びフランジ部材５６とを有する。
【００３８】
コイルバネ受け部５４は、両端に、それぞれ、凸面部５４ａ及び凹面部５４ｂを有する。
【００３９】
圧縮コイルバネ４０の圧縮復元力の付与方向（前後方向）から見た場合において、凸面部５４ａの凸部が圧縮コイルバネ４０の雄ネジ５２側のリング状の中央に位置すると共に、圧縮コイルバネ４０の雄ネジ５２側の端部が凸面部５４ａの凸部の周囲に位置する。
【００４０】
また、圧縮コイルバネ４０の圧縮復元力の付与方向（前後方向）から見た場合において、凹面部５４ｂの凹部が、圧縮コイルバネ４０の雄ネジ５２側のリング状の中央に位置すると共に、雄ネジ５２の先端が凹面部５４ｂの凹部に位置している。
【００４１】
フランジ部材５６は、中央に貫通孔を有し、後方に凸状のフランジ形状を有する。圧縮コイルバネ４０の圧縮復元力の付与方向（前後方向）から見た場合において、凸状の部分が圧縮コイルバネ４０の雄ネジ５２側のリング状の中央に位置すると共に、圧縮コイルバネ４０の雄ネジ５２側の端部が凸状の部分の周囲に位置する。
【００４２】
また、圧縮コイルバネ４０の圧縮復元力の付与方向（前後方向）から見た場合において、フランジ部材５６の中央の貫通孔に凸面部５４ａの凸部が位置し、コイルバネ受け部５４は、フランジ部材５６に対して位置決めされる。
【００４３】
（揺動規制部）
揺動規制部７０は、連動部材３０の揺動可能な範囲を規制する部材である。揺動規制部７０は、容器本体部２０の底方壁部２６にネジ７４のような螺合部材で取り付けられる。
【００４４】
揺動規制部７０には、凹部７２が形成されており、爪部３６ａが凹部７２内を揺動する。底方壁部３６の下部から下方に向けて爪部３６ａが延在している。
【００４５】
（回転軸）
回転軸８０は、一般的なシャフトであり、一端にフランジが形成され、他端に、Ｃリング８４が止められる止め輪溝が形成されている。
【００４６】
（緩衝装置の組み立て手順）
以下に、緩衝装置１０の組み立て手順の一例を示す。
【００４７】
連動部材３０の一対の貫通孔３２ａに、それぞれ、一対のブッシュ８２を挿入する。
【００４８】
雄ネジ５２の先端が後方に向くように、容器本体部２０の前方壁部２４の雌ネジ２４ａに雄ネジ５２を螺合させる。雄ネジ５２の先端は、前方壁部２４の内側面より後方に突出する。
【００４９】
容器本体部２０の底方壁部２６にネジ７４を用いて揺動規制部７０を取り付ける。これにより、揺動規制部７０の凹部７２は、容器本体部２０に対して、相対的移動不能に取り付けられる。
【００５０】
コイルバネ受け部５４の凸面部５４ａがフランジ部材５６の貫通孔に挿入するように、コイルバネ受け部５４にフランジ部材５６を重ねる。これにより、フランジ部材５６がコイルバネ受け部５４に対してズレが殆ど生じなくなる。
【００５１】
雄ネジ５２の先端が凹面部５４ｂの凹部に位置するように、雄ネジ５２の先端にコイルバネ受け部５４の凹面部５４ｂを当接させる。
【００５２】
圧縮コイルバネ４０の一端をフランジ部材５６の凸状が形成された側に当接させると共に、他端を受け部材８６の凸部８６ｂ側に当接させる。
【００５３】
受け部材８６の溝部８６ｃに、連動部材３０の後方壁部３４の内側を当接させる。このとき、圧縮コイルバネ４０は、自然長になっているので、一対の貫通孔２２ａと一対の貫通孔３２ａとは、重なり合わない。
【００５４】
一対の貫通孔２２ａと一対の貫通孔３２ａとが重なるように、かつ、爪部３６ａが凹部７２に入るように、圧縮コイルバネ４０の圧縮復元力より大きい力で、連動部材３０を容器本体部２０に近づける。
【００５５】
重なった一対の貫通孔２２ａと一対の貫通孔３２ａとに回転軸８０を挿入し、回転軸８０の先端近傍に形成されている止め輪溝にＣリング８４を取り付ける。これにより、圧縮コイルバネ４０は、容器本体部２０の前方壁部２４と連動部材３０の後方壁部３４との間に圧縮された状態で配置される。このため、圧縮コイルバネ４０は、連動部材３０の後方壁部３４が容器本体部２０の前方壁部２４から離れるような圧縮復元力を連動部材３０の後方壁部３４に付与する。
【００５６】
連動部材３０は、容器本体部２０から離れようとするが、連動部材３０は、回転軸８０によって、揺動可能に容器本体部２０に取り付けられているので、回転軸８０を中心に回転しようとする。しかし、連動部材３０の爪部３６ａが揺動規制部７０の凹部７２に引っかかるので、圧縮コイルバネ４０は所定の圧縮復元力を常に発揮する状態にされる。
【００５７】
この圧縮コイルバネ４０の圧縮によって発揮される所定の圧縮復元力は、フランジ部材５６の周囲に略均等に作用し、ひいては、コイルバネ受け部５４の周囲に略均等に作用する。
【００５８】
他方、雄ネジ５２の先端がコイルバネ受け部５４の中心である凹面部５４ｂの凹部に位置しているので、雄ネジ５２は、コイルバネ受け部５４の周囲に作用した所定の圧縮復元力を安定的に受けることができる。このため、緩衝装置１０は、圧縮コイルバネ４０を適切に圧縮状態に保つことができる。
【００５９】
以上、実施するための形態を用いて本発明を説明したが、本発明の技術的範囲は上記実施するための形態に記載の範囲に限定されないことは言うまでもない。上記実施するための形態に、多様な変更又は改良を加えることが可能であることが当業者に明らかである。また、その様な変更又は改良を加えた形態も本発明の技術的範囲に含まれ得ることが、特許請求の範囲の記載から明らかである。
【符号の説明】
【００６０】
１０  緩衝装置
２０  容器本体部
２２  側壁部
２２ａ  貫通孔
２４  前方壁部
２４ａ  雌ネジ
２４ｂ  鍔部
２６  底方壁部
３０  連動部材
３２  側壁部
３２ａ  貫通孔
３４  後方壁部
３４ａ  貫通孔
３４ｂ  溝部
３６  底方壁部
３６ａ  爪部
３８  上方壁部
４０  圧縮コイルバネ
５０  圧縮量調整機構
５２  雄ネジ
５４  コイルバネ受け部
５４ａ  凸面部
５４ｂ  凹面部
５６  フランジ部材
７０  揺動規制部
７２  凹部
７４  ネジ
８０  回転軸
８２  ブッシュ
８４  Ｃリング
８６  受け部材
８６ａ  円盤部
８６ｂ  凸部
８６ｃ  溝部
１００  椅子
１１０  座部
１１２  反力受け部
１１４  背もたれ用回転軸
１２０  背もたれ部
１３０  脚部
【図１】
2018114148.tif 000003
【図２】
2018114148.tif 000004
【図３】
2018114148.tif 000005
【図４】
2018114148.tif 000006